(57)【要約】  揮発性材料を放出するように構成された装置は、前面及び後面を有するディスプレー・フレームを含む。前記前面には、開口部が設けられている。前記ディスプレー・フレーム内に、散布器が配置される。この散布器は、揮発性材料を保持するブリスターを備え、このブリスターの開放端にわたって、透過性膜が広がっている。前記後面は、第１状態と第２状態との間で動作可能な一体型脚部材を含む。前記透過性膜は、前記前面付近に位置し、第１状況では前記揮発性材料を放出させないようにすると共に、第２状況では前記開口部を通して前記揮発性材料を放出させる。
2009532174.tif 000002
【特許請求の範囲】
【請求項１】
揮発性材料を放出するように構成された装置であって、
前面及び後面を有するディスプレー・フレームと、
前記前面に位置する開口部と、
前記ディスプレー・フレーム内に位置し、揮発性材料を保持するブリスター及び前記ブリスターの開放端にわたって広がる透過性膜を備える散布器と、を備え、
前記後面が、第１状態と第２状態との間で動作可能な一体型脚部材を含み、
前記透過性膜が、前記前面付近に位置し、第１状況では前記揮発性材料を放出させないようにすると共に、第２状況では前記開口部を通して前記揮発性材料を放出させることを特徴とする、
装置。
【請求項２】
取り外し可能なカバーが、前記前面に位置する前記開口部を覆っていることを特徴とする、請求項１に記載の装置。
【請求項３】
前記第１状況では、不透過性ラミネートが、前記透過性膜のほぼ全体の上に位置することを特徴とする、請求項１に記載の装置。
【請求項４】
前記不透過性ラミネートが取り外されることによって、前記第２状況となることを特徴とする、請求項３に記載の装置。
【請求項５】
前記第１状態と前記第２状態との間における前記一体型脚部材の動作が、前記揮発性材料が前記散布器から放出するのを妨げないことを特徴とする、請求項１に記載の装置。
【請求項６】
前記一体型脚部材が前記前面とほぼ平行であるときには、前記第１状態であることを特徴とする、請求項１に記載の装置。
【請求項７】
保持部材が、前記一体型脚部材を前記第１状態に保持することを特徴とする、請求項１に記載の装置。
【請求項８】
前記一体型脚部材が前記前面から実質的に角度がつけられているときには、前記第２状態であることを特徴とする、請求項１に記載の装置。
【請求項９】
前記一体型脚部材が、第１位置と第２位置との間で回転可能であることを特徴とする、請求項１に記載の装置。
【請求項１０】
前記第１位置では、前記一体型脚部材が、前記前面とほぼ平行であることを特徴とする、請求項９に記載の装置。
【請求項１１】
前記第２位置では、前記一体型脚部材が、前記前面から約１°〜約１８０°の角度をつけられていることを特徴とする、請求項９に記載の装置。
【請求項１２】
前記ディスプレー・フレームの上端付近に、前記前面から前記後面へ貫通する穴を更に備えることを特徴とする、請求項１に記載の装置。
【請求項１３】
組み立てて散布システムにするように構成された、ほぼ平らなブランクであって、
第１開口部にわたって広がる取り外し可能なカバーを備えた第１壁部と、
第１の折り目を中心にヒンジによって前記第１壁部の第１端部につながった第２壁部と、
第２の折り目を中心にヒンジによって前記第２壁部の端部につながり、更に第２開口部を含む第３壁部と、
第３の折り目を中心にヒンジによって前記第１壁部の第２端部につながり、更に、揮発性材料を保持する散布器のリザーバを受容するように構成された第３開口部を含む第４壁部と、を備え、
前記第２開口部及び前記第３開口部が、ほぼ同じサイズであり、第１使用位置では互いに揃えられるように構成されていることを特徴とする、
ブランク。
【請求項１４】
前記散布システムを組み立てるとき、揮発性材料を保持する散布器のリザーバが、前記第４壁部の後面から前記第３開口部を通して挿入されることを特徴とする、請求項１３に記載のブランク。
【請求項１５】
前記散布器が、前記第４壁部の前記後面に固定されることを特徴とする、請求項１４に記載のブランク。
【請求項１６】
前記第４壁部が前記第３の折り目を中心に回転されることによって、前記第４壁部の前記後面が前記第１壁部の後面とほぼ平行に位置することを特徴とする、請求項１４に記載のブランク。
【請求項１７】
前記第４壁部の前記後面が前記第１壁部の前記後面に固定され、前記散布器が前記カバーと同一面になることを特徴とする、請求項１６に記載のブランク。
【請求項１８】
前記第２壁部が前記第１の折り目を中心に回転されることによって、前記第２壁部の後面が前記第１壁部の後面とほぼ平行に位置し、前記第１壁部及び前記第２壁部が、互いに固定されることを特徴とする、請求項１３に記載のブランク。
【請求項１９】
前記第３壁部が、第１位置と第２位置との間で回転可能であることを特徴とする、請求項１８に記載のブランク。
【請求項２０】
揮発性材料散布器を作動させる方法であって、
揮発性材料散布カートリッジを保持する第１面と、第１位置と第２位置との間で動作可能な支持部材を含む第２面とを有する、逆Ｖ字型構造を準備し、
前記揮発性材料散布カートリッジを機能させ、
前記支持部材を前記第１位置及び前記第２位置の少なくとも一方に配置することから成り、
前記第１位置が、前記支持部材が前記第１面とほぼぴったりと重なることを特徴とし、
前記第２位置が、前記支持部材が前記逆Ｖ字型構造を支持できる距離だけ前記第１面から角度をつけられていることを特徴とする、
方法。
【発明の詳細な説明】
【技術分野】
【０００１】
関連出願の相互参照
該当なし
【０００２】
連邦支援の研究又は開発に関する参照
該当なし
【０００３】
連続リスト
該当なし
【０００４】
本発明は、広く、揮発性材料散布システムに関し、より詳細には、調節可能なチップボード・ホルダと組み合わされた揮発性材料散布器に関する。
【背景技術】
【０００５】
職場や家庭に香りをもたらすのに、揮発性材料散布器が用いられてきた。このような散布器の１つとして、写真立てとポプリホルダを組み合わせた装飾的デザインがある。このデザインは、互いに角度を成す前面パネル及び後面パネルを含む。前面パネルの中央には凹みがあり、写真を挿入する領域が設けられている。これらの前面パネルと後面パネルとを、ブリッジがつないでいる。
【０００６】
別のこのような散布器の装飾的デザインとして、空気清浄器と写真立てを組み合わせたものが挙げられる。この写真立ては前面及び後面を含み、前面には外側に延出する２つの長方形をした段付き部分があり、後面は平面である。この写真立ての上部付近には、前面及び後面を貫通する穴が開いている。
【０００７】
更に別の散布器は、第１パネル及び第２パネルを含む。これらの第１パネルと第２パネルとを基部が結合することによって、この散布器をテント型に支持する台がもたらされる。第２側面パネルからは、タブが延出している。このタブを捕らえる手段が、第１側面パネルに設けられている。これらの側面パネルのうちの一方には、揮発性材料が充填された容器を取り付けるための開口部が設けられている。
【発明の開示】
【課題を解決するための手段】
【０００８】
本発明の一実施形態によれば、揮発性材料を放出するように構成された装置は、前面及び後面を有するディスプレー・フレームを含む。前記前面には、開口部が設けられている。前記ディスプレー・フレーム内に、散布器が配置される。この散布器は、揮発性材料を保持するブリスターを備え、このブリスターの開放端にわたって、透過性膜が広がっている。前記後面は、第１状態と第２状態との間で動作可能な一体型脚部材を含む。前記透過性膜は、前記前面付近に位置し、第１状況では前記揮発性材料を放出させないようにすると共に、第２状況では前記開口部を通して前記揮発性材料を放出させる。
【０００９】
本発明の別の実施形態によれば、組み立てて散布システムにするように構成されたほぼ平らなブランクは、第１開口部にわたって広がる取り外し可能なカバーを備えた第１壁部を含む。第２壁部は、第１の折り目を中心にヒンジによって前記第１壁部の第１端部につながっている。第３壁部は、第２の折り目を中心にヒンジによって前記第２壁部の端部につながっている。この第３壁部は、更に、第２開口部を含む。第４壁部は、第３の折り目を中心にヒンジによって前記第１壁部の第２端部につながっている。この第４壁部は、更に、揮発性材料を保持する散布器のリザーバを受容するように構成された第３開口部を含む。前記第２開口部及び前記第３開口部は、ほぼ同じサイズであり、第１使用位置では互いに揃えられる（同一面となる）ように構成されている。
【００１０】
本発明の更に別の実施形態によれば、揮発性材料散布器を作動させる方法は、第１面及び第２面を有する逆Ｖ字型構造を準備するステップを含む。前記第１面は、揮発性材料散布カートリッジを保持し、前記第２面は、第１位置と第２位置との間で動作可能な支持部材を含む。別のステップは、前記揮発性材料散布カートリッジを機能させることから成る。別のステップは、前記支持部材を前記第１位置及び前記第２位置の少なくとも一方に配置することから成る。前記第１位置は、前記支持部材が前記第１面とほぼぴったりと重なることを特徴とし、前記第２位置は、前記支持部材が前記逆Ｖ字型構造を支持できる距離だけ前記第１面から角度をつけられていることを特徴とする。
【００１１】
本発明のその他の態様及び利点は、以下の詳細な説明を読むと共に図面を参照すれば明らかとなるであろう。
【発明を実施するための最良の形態】
【００１２】
図１を参照すると、揮発性材料散布システム２０が示されている。この散布システム２０は、揮発性材料散布器２２及びディスプレー・フレーム２４を含む。このフレーム２４は、第１状態と第２状態との間を動作可能であって、これにより、本発明の散布システム２０の様々な利用法がユーザにもたらされる。
【００１３】
図１は、第１状態のディスプレー・フレーム２４を示している。このディスプレー・フレーム２４の前面２６は、第１壁部２８から成る。この第１壁部２８は、ほぼ長方形をしており、幅が約３．５インチで高さが約５インチである。この前壁部２８には、カバー３０が設けられ、その周囲の穿孔部３２によって付着されている。このカバー３０は、その上方角から剥離されている弧状部を除けば、ほぼ正方形である。この剥離部は、スロット３４を画定している。カバー３０は、前面２６の幅に対してほぼ中央に置かれていると共に、ディスプレー・フレーム２４の上端３８よりも下端３６の近くに位置付けられている。第１壁部２８の上端３８付近には、穴４０が設けられている。
【００１４】
カバー３０は、更に図２〜図５に示されている散布器２２を覆っている。図２及び図３を参照すると、この散布器２２若しくはカートリッジは、ブリスター４４、周辺フランジ４６、並びに、これらのブリスター４４及びフランジ４６に取り外し可能に付着された不透過性ラミネート４８を備える。ブリスター４４は、無孔透過性膜５０及びカップ型構造５２若しくはリザーバを含む。カップ型構造５２は、底壁５４及び４つの側壁５６を含み、これらは、透過性膜５０と共に、揮発性材料５８を収容する密閉リザーバとして機能する。具体例として、これらのカップ型構造５２及び透過性膜５０は、透明や半透明の材料からできており、このため、揮発性材料５８がこれらのカップ型構造５２及び透過性膜５０を通して見える。周辺フランジ４６は、平面状であり、カップ型構造５２の上端に結合していると共に、これらの上端から外側に延出している。一実施形態では、この周辺フランジ４６は、側壁５６の上端から外側に延出していると共に、これらの上端と一体的に形成されている。本発明の散布器２２及び揮発性材料５８は、米国特許出願第１０／８８１，８１６号（この開示内容は、参照によりその全体が本明細書中に組み込まれる）に記載のものと似ている。
【００１５】
図４は、第１状況の散布器２２を示している。散布器２２は、この第１状況において、完全に又はほぼ満杯である。即ち、不透過性ラミネート４８がブリスター４４から取り外されていないため、揮発性材料５８は透過性膜５０を通してほとんど又は全く拡散していない。散布器２２が満たされていて不透過性ラミネート４８が透過性膜５０を被覆しているときには、揮発性材料５８は実質的に拡散しない。具体例として、不透過性ラミネート４８は、ユーザがその端部をつかんで剥がすことによって、ブリスター４４から取り外される。このような不透過性ラミネート４８の取り外しを助ける延長部として、タブ６０、延長部、又はその他の把持手段が設けられていてもよい。この延長部は、不透過性ラミネート４８の角、端部、及び／又は表面にあってよい。
【００１６】
不透過性ラミネート４８が取り外されると、散布器２２は、満杯の若しくは第１の状況（図４）から空の若しくは第２の状況（図５）に移り始める。ブリスター１８には揮発性材料５８が少量残ってもよく、このような状況でも、散布器２２は第２状況に達したと見なされる。揮発性材料５８が透過性膜５０を通して拡散するにつれて、透過性膜５０はゆっくりと底壁５４上につぶれていく。図５を参照すると、揮発性材料５８が透過性膜５０を通して拡散した後、散布器２２内に収容されている揮発性材料５８は少なくなっている。揮発性材料５８の拡散後に、新しい空気が散布器２２に入ることは実質的にない。その結果、透過性膜５０を通して圧力勾配が生じ、散布器２２内の圧力よりも周囲空気の圧力の方が高くなる。このような圧力勾配によって、周囲空気は散布器２２上に正味の正圧を及ぼし、これにより、透過性膜５０が残りの揮発性材料５８に対して且つ最終的には底壁５４に対して押圧される。
【００１７】
再度、図１を参照すると、不透過性ラミネート４８の一部が、スロット３４を通して見える。散布システム２０は、図６に示されているように、ディスプレー・フレーム２４からカバー３０を取り外すことによって作動する。このカバー３０は、その一部をスロット３４内でつかんでディスプレー・フレーム２４から外側に引き剥がすことによって取り外される。このカバー３０は、十分な力が及ぼされると第１壁部２８から剥がれ、これにより、ほぼ正方形の開口部６２がもたらされる。一実施形態における開口部６２は、長さ及び幅の寸法が約２．８７６インチである。この開口部６２を通して、不透過性ラミネート４８が見えると共に、この不透過性ラミネート４８に接触することができる。不透過性ラミネート４８は、開口部６２の幅及び高さとほぼ同じ距離だけ広がっている。この不透過性ラミネート４８は、その一部（例えば、タブ６０）をつかんでブリスター４４から引き剥がすことによって取り外される。このように不透過性ラミネート４８を取り外すことによって、散布器２２は第１状況（図４）から第２状況（図５）に移り、これによって、揮発性材料５８が空気中に散布される。
【００１８】
ディスプレー・フレーム２４の後面６４が、図７に示されている。この後面６４は、第２壁部６６及び第３壁部６８から成る。第２壁部６６は、ほぼ長方形をしており、幅が約３．５インチで高さが約１インチである。第３壁部６８は、第２壁部６６に一体的に結合されており、幅が約３．５インチで高さが約４インチである。この第３壁部６６には、第２開口部７０が設けられている。この第２開口部７０は、ほぼ正方形をしており、長さ及び幅の寸法が、ブリスター４４のカップ型構造５２の長さ及び幅の寸法にほぼ等しいかそれよりも大きい。一実施形態では、第２開口部７０は、第１壁部２８の開口部６２よりも小さくされており、長さ及び幅の寸法が約２．３１３インチである。この第２開口部７０は、後面６４の幅に対して中央に置かれていると共に、ディスプレー・フレーム２４の上端３８よりも下端３６の近くに配置されている。ディスプレー・フレーム２４の上端３８付近には、第２壁部６６を貫通する穴４０が開いている。カップ型構造５２は、第２開口部７０を通って突出する。他の実施形態では、このカップ型構造５２は、第２開口部７０内へ部分的に突出するか或いは第２開口部７０とほぼ同一面に合わせられる。図８は、本実施形態においてカップ型構造５２が第２開口部７０を通ってどの程度延出しているかを示す側面図である。このようにカップ型構造５２が第２開口部７０を通って延出する距離は、散布器２２及び／又はディスプレー・フレーム２４の寸法を調整することによって変更してもよい。例えば、第１壁部２８、第２壁部６６、第３壁部６８、第４壁部７２のうちの１つ以上を厚さの異なる材料から製造して、カップ型構造５２が第２開口部７０を通って延出する程度を調整してもよい。
【００１９】
図１及び図６〜図１１の散布システムは、第１状態の散布システム２０である。この第１状態は、第１壁部２８、第２壁部６６、第３壁部６８、及び第４壁部７２が互いにほぼ平行に位置することを特徴とする。散布器２２の一部（例えば、底壁５４や不透過性ラミネート４８）も、第１壁部２８、第２壁部６６、第３壁部６８、及び第４壁部７２と平行である。一般的には、穴４０に紐又はその他の部材が通されて、この散布システム２０は支持構造（図示せず）から吊り下げられる。別の実施形態では、この散布システム２０は、壁又はその他の面に立てかけられるか、或いは、支持面上に置かれてもよい。ユーザが使用可能な第１状態の散布システム２０の配置方法は多数ある。
【００２０】
次に、図９〜図１２を参照すると、散布システム２０が第２状態にされている。特に図１２を参照すると、ディスプレー・フレーム２４の後面６４が示されている。第３壁部６８は、ヒンジ７４を中心に回転することによって、ディスプレー・フレーム２４の残りの部分から外側に延出する。この第２状態では、カップ型構造５２は、第２開口部７０を通って延出しておらず、もはや第２開口部７０と同一面になっていない。第３壁部６８は、支持部材若しくは脚部材として機能し、支持面７６から散布システム２０を下支えするのに役立つ。図１１は、散布システム２０が第２状態においてほぼ逆Ｖ字型を呈し、この逆Ｖ字型から第２壁部６６と第１壁部２８の一部とが斜めに延出している様子を示している。第３壁部６８の下端７８と第１壁部２８及び第４壁部７２の結合体の下端８０とが支持面７６上に力を及ぼすことにより、散布システム２０は、第２状態における直立位置に維持される。
【００２１】
第３壁部６８は、第１状態と第２状態を画定する複数の位置との間で動作可能である。散布システム２０を第２状態にする前は、この第３壁部６８は、第１位置において、第４壁部７２と並置され、この第４壁部７２とほぼ平行である。ヒンジ７４を中心に第３壁部６８を回転させることによって、散布システムは第２状態にされる。このように第３壁部６８を回転させることによって、第３壁部６８は、第４壁部７２から角度がつけられ、第２位置に置かれる。散布システム２０を第２状態にするのに、第３壁部６８は、約１°〜約１８０°のいずれの角度に位置決めされてもよい。具体例として、第３壁部６８の角度は、約２０°〜約７０°である。
【００２２】
散布システム２０が第１状態であるか第２状態であるかにかかわらず、散布器２２の透過性膜５０は、ディスプレー・フレーム２４の後面６４から実質的に離れて位置付けられている。従って、揮発性材料５８は、邪魔されることなく空気中に放出されるため、より効率的に拡散することができる。また、透過性膜５０は、散布システム２０の前面２６から見える。従って、ユーザは、大して苦労することなく、散布器２２に残っている揮発性材料５８のレベルを判別し得る。
【００２３】
図１３及び図１４は、本発明の散布システム２０を製造するのに用いられ得る、１つのタイプのブランク(blank)８２を示している。このブランク（ブランクフレーム）８２は、板紙などから製造され、適切な形状に打ち抜かれ得る。図１３は、取り外し可能なカバー３０及び穴４０を備えた第１壁部２８の前面８４を示している。図１４は、この第１壁部２８の後面８６を示している。この第１壁部２８の第１端部８８には、ヒンジ９０又は折り目によって、第２壁部６６がつながっている。この第２壁部６６も、穴４０並びに前面９２及び後面９４を含む。この第２壁部６６の反対側の端部には、ヒンジ７４又は折り目において、第３壁部６８がつながっている。この第３壁部６８は、第２開口部７０並びに前面９６及び後面９８を含む。第１壁部２８の第２端部１００には、ヒンジ１０２又は折り目によって、第４壁部７２がつながっている。この第４壁部７２は、第２開口部７０と同じような寸法の第３開口部１０４並びに前面１０６及び後面１０８を含む。
【００２４】
散布システム２０は、第４壁部７２の後面１０８から第３開口部１０４を通して散布器２２のカップ型構造５２（図１３には示されていない）を挿入することにより組み立てられる。散布器２２の周辺フランジ４６は、第４壁部７２の後面１０８の第３開口部１０４周囲部分にホットシールされる。ヒンジ１０２を中心に第４壁部７２を回転させることによって、この第４壁部７２の後面１０８が第１壁部２８の後面８６にほぼぴったりと重なる。これらの第４壁部７２の後面１０８と第１壁部２８の後面８６は、合わせてホットシールされる。第４壁部７２がこのように位置決めされると、散布器２２の不透過性ラミネート４８は、第１壁部２８のカバー３０裏の中央に位置付けられる。２つの穴４０が合うように、ヒンジ９０を中心に第２壁部６６が折り曲げられる。この第２壁部６６の後面９４も同様に、第１壁部２８の後面８６にホットシールされる。残りの第３壁部６８は第４壁部７２にほぼぴったりと重なり、第３壁部６８の後面９８は第４壁部７２の前面１０６と並置される。
【００２５】
ブランク８２は、あらゆる他のタイプの紙ベースの材料又は異なる材料（例えば、プラスチック）から構成されてもよい。プラスチックのような異なる材料は、紙ベースの材料には悪影響を及ぼす湿潤環境において有用であり得る。更に、ブランク８２及び散布器２２の一部は、接着剤又は異なるタイプの糊によって、互いに接着されてもよい。また、ディスプレー・フレーム２４自体は、美的効果を狙って装飾的な形状としてもよいし、様々な色及び／又は絵を施してもよい。図１５及び図１６は、そのような１つの散布システム１２０を示している（散布システム２０に用いられているのと同様の構造には、同じ参照番号が付与されている）。この散布システム１２０は、第１壁部２８、第２壁部６６、第３壁部６８、及び第４壁部７２の側壁１２２が曲線状であることを特徴とする。また、この散布システム１２０は、穴４０に紐１２４が通されている。この紐１２４は、支持面（例えば、棒やドアノブ）から散布システム１２０を支持するのに用いられ得る。また、本実施形態には、廃棄する必要のある材料を省くため、カバー３０が無くてもよい。これらの図１５及び図１６は、他の実施形態において見られ得る様々な壁部のサイズ及び形状に関する変形例を示している。
【００２６】
図１７及び図１８は、散布システム２０に似た別の実施形態である散布システム２２０を示している。しかしながら、この散布システム２２０は、第４壁部７２の、第１壁部２８及び第４壁部７２の結合体の下端８０付近に、保持部材２２２が設けられている、という点で異なっている。この保持部材２２２は、第４壁部７２から部分的に切り取られて第３壁部６８の方へ外側に曲げられた弾性湾曲部材から構成されている。散布システム２２０が第１状態であるとき、第３壁部６８の下端７８の一部は、この保持部材２２２内に保持される。このように第３壁部６８が保持部材２２２内に保持されることによって、第３壁部６８の下端７８は第４壁部７２に押し当てられる。第３壁部６８が保持部材２２２から取り外されると、散布システム２２０は第１状態から第２状態に移る。この保持部材２２２は、散布システム２２０をよりしっかりと第１状態に維持する手段をもたらす。例えば、この保持部材２２２は、散布システム２２０に外部の力が作用することによって、或いは、ヒンジ７４が曲がり過ぎて第３壁部６８が動くことによって、不用意に状態が移るのを防ぎ得る。その他のタイプ（様々な形状、数、又は位置）の保持部材を用いることも考えられる。更に、保持部材は、これらの図１７及び図１８に示されているようにディスプレー・フレームと一体化していてもよいし、ディスプレー・フレームに取り付けられる別個の構造であってもよい。
【００２７】
別の実施形態では、散布システム２０、１２０、２２０に、様々な形状の開口部及び散布器が設けられている。例えば、散布器２２は、長方形をしていてもよいし、その他のデザイン（例えば、雪片や動物）であってもよい。更に、１つの散布システム２０、１２０、２２０に、異なる又は同様の揮発物が入った複数の散布器を設けてもよい。また、第１壁部２８、第２壁部６６、第３壁部６８、及び第４壁部７２のうちのいくつか又は全てと散布器２２とを結合するのに再使用可能な接着剤を用いることも考えられ、そうすると、揮発性材料５８が無くなったら、散布システム２０、１２０、２２０全体を交換する代わりに、散布器２２を交換することができる。更に別の実施形態では、散布システム２０、１２０、２２０は、側部を下にして置いてもよく、この場合、下端３６及び上端３８は支持面に触れない。正確には、第１壁部２８、第２壁部６６、第３壁部６８、及び第４壁部７２の、散布システム２０、１２０、２２０の左側或いは右側を画定する部分が、支持面付近に位置する。それでも、第３壁部６８は、ヒンジ７４を中心に回転して第１状態と第２状態との間を遷移し、本明細書中に開示したような本発明の散布システム２０、１２０、２２０の異なる動作方法をユーザに提供する。当業者は、本開示内容に関して加えられ得る多数の変更を認めるであろう。また、これらの変更は、本開示内容に含まれるよう意図されている。
【産業上の利用可能性】
【００２８】
本明細書中で説明した空気清浄剤散布システムは、吊り下げ位置と自立位置との間で調節可能であり芳香剤散布器を備えたディスプレー・フレームの機能的特徴と美的特徴とを有益に組み合わせている。従って、この空気清浄剤散布システムを用いることにより、ユーザは、家庭又は職場内に空気清浄器をより柔軟に配置することができる。
【００２９】
先の説明を考慮すれば、当業者には多数の変更点が明らかであろう。従って、この説明は、単なる例示と解釈されると共に、当業者が本発明を行って使用し且つ本発明を実施する最良の形態を教示できるようにすることを目的として提示される。添付の特許請求の範囲内に含まれる変更点全てに対する独占権は留保される。
【図面の簡単な説明】
【００３０】
【図１】フレーム及び散布器を含む、第１状態の散布システムの正面図である。
【図２】図１の散布器の正面等角図である。
【図３】図１の散布器の背面等角図である。
【図４】第１状況における、線４−４に沿った図２の散布器の断面図である。
【図５】第２状況における、線５−５に沿った図２の散布器の断面図である。
【図６】前面カバーが取り外された、図１の散布システムの正面図である。
【図７】図１の散布システムの背面図である。
【図８】図１の散布システムの側面図である。
【図９】第２状態における、図１の散布システムの正面等角図である。
【図１０】前面カバーが取り外された、図９の散布システムの正面等角図である。
【図１１】図９の散布システムの側面図である。
【図１２】図９の散布システムの背面等角図である。
【図１３】図１及び図６〜図１２の散布システムを製造するのに用いられるブランクの前面の平面図である。
【図１４】図１３のブランクの後面の平面図である。
【図１５】フレーム及び散布器を含む、第１状態の第２散布システムの正面図である。
【図１６】第２状態における、図１５の第２散布システムの背面等角図である。
【図１７】フレーム及び散布器を含む、第１状態の第３散布システムの背面図である。
【図１８】図１７の第３散布システムの側面図である。
【図１】
2009532174.tif 000003
【図２】
2009532174.tif 000004
【図３】
2009532174.tif 000005
【図４】
2009532174.tif 000006
【図５】
2009532174.tif 000007
【図６】
2009532174.tif 000008
【図７】
2009532174.tif 000009
【図８】
2009532174.tif 000010
【図９】
2009532174.tif 000011
【図１０】
2009532174.tif 000012
【図１１】
2009532174.tif 000013
【図１２】
2009532174.tif 000014
【図１３】
2009532174.tif 000015
【図１４】
2009532174.tif 000016
【図１５】
2009532174.tif 000017
【図１６】
2009532174.tif 000018
【図１７】
2009532174.tif 000019
【図１８】
2009532174.tif 000020
【国際調査報告】
2009532174.tif 000021
2009532174.tif 000022
2009532174.tif 000023
2009532174.tif 000024
2009532174.tif 000025